(57)【要約】【課題】脚が太い人が着用した際に適切な締めつけ力が作用する靴下を提供する。【解決手段】基準弾性力を有する基本ゴム部１を円周方向に帯状に有する口部２に於て、基準弾性力よりも小さな弾性力を有する上下方向の弱ゴム部３が部分的に介在している。弱ゴム部３の弾性力が、編み方によって、基本ゴム部１の弾性力よりも小さく設定されている。【選択図】図１
2007146352.tif 000002
【特許請求の範囲】
【請求項１】
基準弾性力を有する基本ゴム部（１）を円環帯状に有する口部（２）に於て、上記円環帯状基本ゴム部（１）を分断状として、上記基準弾性力よりも小さな弾性力を有する上下方向帯状の弱ゴム部（３）を介在させたことを特徴とする靴下。
【請求項２】
弱ゴム部（３）の弾性力を、編み方によって、基本ゴム部（１）の弾性力よりも小さく設定した請求項１記載の靴下。
【請求項３】
弱ゴム部（３）が、基本ゴム部（１）の糸（４）の弾性力よりも弾性力が小さい糸（５）にて編まれている請求項１記載の靴下。
【発明の詳細な説明】
【技術分野】
【０００１】
本発明は、靴下に関する。
【背景技術】
【０００２】
一般に、靴下は口部に円周方向に帯状のゴム部が配設されている（例えば、特許文献１参照）。
【０００３】
しかし、脚が太い人が着用する（履く）と、ゴムの弾性力が過度に強く作用して、脚を過剰に締めつけ、痛みを感じるという欠点があった。
【特許文献１】特開２００４−２０４３７３号公報
【発明の開示】
【発明が解決しようとする課題】
【０００４】
解決しようとする課題は、脚が太い人が着用した際に過剰な締めつけ力が作用する点である。
【課題を解決するための手段】
【０００５】
そこで、本発明に係る靴下は、基準弾性力を有する基本ゴム部を円環帯状に有する口部に於て、上記円環帯状基本ゴム部を分断状として、上記基準弾性力よりも小さな弾性力を有する上下方向帯状の弱ゴム部を介在させたものである。
また、弱ゴム部の弾性力を、編み方によって、基本ゴム部の弾性力よりも小さく設定したものである。
また、弱ゴム部が、基本ゴム部の糸の弾性力よりも弾性力が小さい糸にて編まれているものである。
【発明の効果】
【０００６】
本発明の靴下によれば、脚が太い人が着用した際に適切な締めつけ力が作用する。
【発明を実施するための最良の形態】
【０００７】
図１・図２は、本発明の第１の実施の形態を示す。この靴下は、基準弾性力を有する基本ゴム部１を円周方向に帯状に───円環帯状に───有する口部２に於て、基準弾性力よりも小さな弾性力を有する（巨視的に見て）上下方向帯状の弱ゴム部３が部分的に介在している。即ち、円環帯状基本ゴム部１を、上下方向帯状の弱ゴム部３によって、分断状に構成される。具体的には、弱ゴム部３の弾性力が、編み方によって、基本ゴム部１の弾性力よりも小さく設定されている（基本ゴム部１の糸４と、弱ゴム部３の糸５は、同一である）。図２の矢印Ｅは、伸長方向を示す。すなわち、図２の左右方向は、口部２の円周方向を示す。なお、本発明に於て、「編み方」には、編み目の大きさも含まれるものとする。すなわち、編み目の大きさが異なる場合にも「編み方」が異なるものとする。
【０００８】
図３は、図１のＺ−Ｚ断面を示す簡略断面説明図を示す。口部２を円周が大きくなるように拡径させていくと、まず図４の状態になり、その後図５の状態になる。ところで、図６〜図８は、それぞれ図３〜図５の状態をバネに置き換えてモデル化したものを示す。すなわち、Ｘが全ての弱ゴム部３を総体的にモデル化した弱バネを示すとともに、Ｙが基本ゴム部１をモデル化した基本バネを示す。そして、弱バネＸの弾性力は、基本バネＹの弾性力よりも小さい。
【０００９】
図６は、自然状態（伸びがゼロの場合）を示す。矢印にて示すように引張力Ｆを作用させていくと、主として弱バネＸが伸びて、図７に示すように、弱バネＸが伸びきった状態になる。さらに引張力Ｆを作用させると、図８に示すように、弱バネＸが伸びきったままで、基本バネＹのみが伸びていく。
【００１０】
すなわち、図３に示す自然状態から、口部２を拡径させていくと、図４に示すように、弱ゴム部３が伸びきった状態になる。さらに口部２を拡径させていくと、図５に示すように、弱ゴム部３が伸びきったままで、基本ゴム部１のみが伸びていく。
【００１１】
図９は、靴下の口部２に於ける伸び量と弾発力の関係を表すグラフを示す。実線６は、本発明の靴下の場合を示す。２点鎖線７は、従来の靴下の場合（すなわち、弱ゴム部３を介在させない場合）を示す。そして、斜線部Ｓは、適切な弾発力の範囲を示す。
【００１２】
従来の靴下では、伸び量がＡで示す範囲になる脚の太さの人に適切な弾発力（締めつけ力）が作用していた。本発明の靴下では、伸び量がＢで示す範囲になる脚の太さの人に適切な弾発力（締めつけ力）が作用する。すなわち、本発明の靴下は、脚が太い人に適している。
【００１３】
次に、第２の実施の形態について説明する。弱ゴム部３の弾性力が、糸の種類によって、基本ゴム部１の弾性力よりも小さく設定されている（基本ゴム部１と弱ゴム部３の編み方は同一である）。すなわち、弱ゴム部３が、基本ゴム部１の糸４（図10参照）の弾性力よりも弾性力が小さい糸５（図11参照）にて編まれている。具体的には、糸４は、ゴム芯４ａとゴム芯４ａに巻設される巻設糸４ｂとから成る。糸５は、ゴム芯５ａとゴム芯５ａに巻設される巻設糸５ｂとから成る。そして、糸４のゴム芯４ａと糸５のゴム芯５ａが同じ材質であって、かつ、ゴム芯４ａの方が、ゴム芯５ａよりも太く設定されている。その他の構成は、第１の実施の形態と同様である。
【００１４】
なお、図１では、上下長さが比較的短い（すなわち、着用時に足首の少し上を口部２が締めつける位の長さの）靴下を例示したが、図12に示すように上下長さが比較的長い（すなわち、着用時に膝近傍を口部２が締めつける位の長さの）靴下（ハイソックス）であっても良い。
【００１５】
なお、本発明は、設計変更可能であって、例えば、上下方向帯状の弱ゴム部３の本数は増減自由である。また、基本ゴム部１に対する弱ゴム部３の割合も増減自由である。また、弱ゴム部３の編み目の大きさではなく事実上の編み方を、基本ゴム部１の編み方と相違させて、弱ゴム部３の弾性力を基本ゴム部１の弾性力よりも小さく設定するも良い。また、弱ゴム部３の糸５のゴム芯５ａの材質を、基本ゴム部１の糸４のゴム芯４ａと相違させて、弱ゴム部３の弾性力を基本ゴム部１の弾性力よりも小さく設定するも良い。また、弱ゴム部３の弾性力を、編み方及び糸の種類によって、基本ゴム部１の弾性力よりも小さく設定するも良い。また、口部２の内面２ａ（図３〜図５参照）に滑り止め加工を施すのが好ましい。
【００１６】
以上のように、本発明は、基準弾性力を有する基本ゴム部１を円環帯状に有する口部２に於て、円環帯状基本ゴム部１を分断状として、基準弾性力よりも小さな弾性力を有する上下方向帯状の弱ゴム部３を介在させたので、脚が太い人が着用した際に適切な締めつけ力が作用する。（よって、血液の循環が良好であり、かつ、ずれ落ちない。）すなわち、本発明の靴下は、脚が太い人に適したものである。
また、弱ゴム部３の弾性力を、編み方によって、基本ゴム部１の弾性力よりも小さく設定したので、基本ゴム部１と弱ゴム部３の両方を１種類の糸にて編むことができ、容易に製造することができる。
また、弱ゴム部３が、基本ゴム部１の糸４の弾性力よりも弾性力が小さい糸５にて編まれているので、１種類の編み方で編んで基本ゴム部１と弱ゴム部３の弾性力を相違させることができ、容易に製造することができる。
【図面の簡単な説明】
【００１７】
【図１】本発明の第１の実施の形態を示す正面図である。
【図２】要部拡大正面図である。
【図３】図１のＺ−Ｚ断面を示す簡略拡大断面説明図である。
【図４】簡略断面説明図である。
【図５】簡略断面説明図である。
【図６】説明図である。
【図７】説明図である。
【図８】説明図である。
【図９】グラフ図である。
【図１０】第２の実施の形態に於ける基本ゴム部の糸を示す正面図である。
【図１１】弱ゴム部の糸を示す正面図である。
【図１２】変形例を示す正面図である。
【符号の説明】
【００１８】
１  基本ゴム部
２  口部
３  弱ゴム部
４  糸
５  糸
【図１】
2007146352.tif 000003
【図２】
2007146352.tif 000004
【図３】
2007146352.tif 000005
【図４】
2007146352.tif 000006
【図５】
2007146352.tif 000007
【図６】
2007146352.tif 000008
【図７】
2007146352.tif 000009
【図８】
2007146352.tif 000010
【図９】
2007146352.tif 000011
【図１０】
2007146352.tif 000012
【図１１】
2007146352.tif 000013
【図１２】
2007146352.tif 000014
【手続補正書】
【提出日】平成18年12月4日(2006.12.4)
【手続補正１】
【補正対象書類名】特許請求の範囲
【補正対象項目名】全文
【補正方法】変更
【補正の内容】
【特許請求の範囲】
【請求項１】
所定の弾性力を有する基本ゴム部（１）を円環帯状に有する口部（２）に於て、上記円環帯状基本ゴム部（１）を分断状として、上記所定の弾性力よりも小さな弾性力を有する上下方向帯状の弱ゴム部（３）を介在させた靴下であって、着用時に上記弱ゴム部（３）が伸びきることを前提として、上記弱ゴム部（３）の弾性力を、編み方によって、上記基本ゴム部（１）の弾性力よりも小さく設定したことを特徴とする靴下。
【請求項２】
所定の弾性力を有する基本ゴム部（１）を円環帯状に有する口部（２）に於て、上記円環帯状基本ゴム部（１）を分断状として、上記所定の弾性力よりも小さな弾性力を有する上下方向帯状の弱ゴム部（３）を介在させた靴下であって、上記弱ゴム部（３）が、上記基本ゴム部（１）の糸（４）の弾性力よりも弾性力が小さい糸（５）にて編まれていることを特徴とする靴下。
【手続補正２】
【補正対象書類名】明細書
【補正対象項目名】０００５
【補正方法】変更
【補正の内容】
【０００５】
そこで、本発明に係る靴下は、所定の弾性力を有する基本ゴム部を円環帯状に有する口部に於て、上記円環帯状基本ゴム部を分断状として、上記所定の弾性力よりも小さな弾性力を有する上下方向帯状の弱ゴム部を介在させた靴下であって、着用時に上記弱ゴム部が伸びきることを前提として、上記弱ゴム部の弾性力を、編み方によって、上記基本ゴム部の弾性力よりも小さく設定したものである。
また、所定の弾性力を有する基本ゴム部を円環帯状に有する口部に於て、上記円環帯状基本ゴム部を分断状として、上記所定の弾性力よりも小さな弾性力を有する上下方向帯状の弱ゴム部を介在させた靴下であって、上記弱ゴム部が、上記基本ゴム部の糸の弾性力よりも弾性力が小さい糸にて編まれているものである。
【手続補正３】
【補正対象書類名】明細書
【補正対象項目名】０００７
【補正方法】変更
【補正の内容】
【０００７】
図１・図２は、本発明の第１の実施の形態を示す。この靴下は、所定の弾性力を有する基本ゴム部１を円周方向に帯状に───円環帯状に───有する口部２に於て、所定の弾性力よりも小さな弾性力を有する（巨視的に見て）上下方向帯状の弱ゴム部３が部分的に介在している。即ち、円環帯状基本ゴム部１を、上下方向帯状の弱ゴム部３によって、分断状に構成される。具体的には、弱ゴム部３の弾性力が、編み方によって、基本ゴム部１の弾性力よりも小さく設定されている（基本ゴム部１の糸４と、弱ゴム部３の糸５は、同一である）。図２の矢印Ｅは、伸長方向を示す。すなわち、図２の左右方向は、口部２の円周方向を示す。なお、本発明に於て、「編み方」には、編み目の大きさも含まれるものとする。すなわち、編み目の大きさが異なる場合にも「編み方」が異なるものとする。
【手続補正４】
【補正対象書類名】明細書
【補正対象項目名】００１６
【補正方法】変更
【補正の内容】
【００１６】
以上のように、本発明は、所定の弾性力を有する基本ゴム部１を円環帯状に有する口部２に於て、円環帯状基本ゴム部１を分断状として、所定の弾性力よりも小さな弾性力を有する上下方向帯状の弱ゴム部３を介在させた靴下であって、着用時に弱ゴム部が伸びきることを前提として、弱ゴム部３の弾性力を、編み方によって、基本ゴム部１の弾性力よりも小さく設定したので、脚が太い人が着用した際に適切な締めつけ力が作用する。（よって、血液の循環が良好であり、かつ、ずれ落ちない。）すなわち、本発明の靴下は、脚が太い人に適したものである。また、基本ゴム部１と弱ゴム部３の両方を１種類の糸にて編むことができ、容易に製造することができる。
また、所定の弾性力を有する基本ゴム部１を円環帯状に有する口部２に於て、円環帯状基本ゴム部１を分断状として、所定の弾性力よりも小さな弾性力を有する上下方向帯状の弱ゴム部３を介在させた靴下であって、弱ゴム部３が、基本ゴム部１の糸４の弾性力よりも弾性力が小さい糸５にて編まれているので、脚が太い人が着用した際に適切な締めつけ力が作用する。（よって、血液の循環が良好であり、かつ、ずれ落ちない。）すなわち、本発明の靴下は、脚が太い人に適したものである。また、１種類の編み方で編んで基本ゴム部１と弱ゴム部３の弾性力を相違させることができ、容易に製造することができる。